(57)【要約】【課題】音声に加えて、視覚を利用して必要な情報を伝えることができるようにして、音声だけでは報知内容を理解できない人物にも的確に報知でき、また、音声だけでは伝えることが難しい情報も的確に報知できるようにする。【解決手段】ユーザが発話した音声を収音するマイク３と、音声を出力するスピーカ８と、外部の投影面に画像を投影するプロジェクタ９と、マイクにより収音した原音声に対応する他言語の合成音声をスピーカから出力するとともに、合成音声に対応する報知画面の画像をプロジェクタから投影する制御部６と、を備える。【選択図】図１
2019012920.tif 000002
【特許請求の範囲】
【請求項１】
ユーザが発話した音声を増幅して出力するとともに、プロジェクタにより画像を表示するプロジェクタ付き拡声装置であって、
ユーザが発話した音声を収音するマイクと、
音声を出力するスピーカと、
外部の投影面に画像を投影する前記プロジェクタと、
前記スピーカから出力する音声に対応する報知画面の画像を前記プロジェクタから投影する制御部と、
を備えることを特徴とするプロジェクタ付き拡声装置。
【請求項２】
前記制御部は、前記マイクにより収音した原音声を前記スピーカから出力するとともに、前記原音声に対応する報知画面の画像を前記プロジェクタから投影することを特徴とする請求項１に記載のプロジェクタ付き拡声装置。
【請求項３】
前記制御部は、前記マイクにより収音した原音声に対応する他言語の合成音声を前記スピーカから出力するとともに、前記合成音声に対応する報知画面の画像を前記プロジェクタから投影することを特徴とする請求項１または請求項２に記載のプロジェクタ付き拡声装置。
【請求項４】
ユーザが把持するグリップと、
前記スピーカから出力された音声が放出されるホーン部と、
を備え、
前記プロジェクタは、前記ホーン部における前記グリップ側に設けられていることを特徴とする請求項１に記載のプロジェクタ付き拡声装置。
【請求項５】
前記プロジェクタの起動および停止の操作を行うプロジェクタスイッチを備えることを特徴とする請求項１に記載のプロジェクタ付き拡声装置。
【請求項６】
筐体に設けられたスクリーン部と、
前記外部の投影面に画像を投影する第１の方向と、前記スクリーン部に画像を投影する第２の方向とに、前記プロジェクタの投影光の向きを変化させる投影方向可変機構と、
を備え、
前記制御部は、前記第１の方向で前記報知画面の画像を前記プロジェクタから投影し、前記第２の方向で操作画面の画像を前記プロジェクタから投影することを特徴とする請求項１に記載のプロジェクタ付き拡声装置。
【請求項７】
前記投影方向可変機構として、前記プロジェクタの本体が、回転軸を介して回動可能に前記筐体に固定されていることを特徴とする請求項６に記載のプロジェクタ付き拡声装置。
【請求項８】
前記プロジェクタは、画像表示素子からの光を反射する反射鏡を備え、
前記反射鏡は、前記プロジェクタの投影光を前記第１の方向に向ける凸面状の反射面と、前記プロジェクタの投影光を前記第２の方向に向ける凹面状の反射面と、を有することを特徴とする請求項６に記載のプロジェクタ付き拡声装置。
【請求項９】
前記スクリーン部に沿って設けられたタッチパネルを備えることを特徴とする請求項６に記載のプロジェクタ付き拡声装置。
【請求項１０】
ユーザが把持するグリップと、
前記スピーカから出力された音声が放出されるホーン部と、
前記ホーン部の内部に設けられたレフレクタと、
を備え、
前記プロジェクタは、前記ホーン部における前記グリップ側に設けられ、
前記ホーン部および前記レフレクタにおける少なくとも前記プロジェクタの投影光の経路上に位置する部分は、透明な材料で形成されていることを特徴とする請求項６に記載のプロジェクタ付き拡声装置。
【請求項１１】
ユーザが発話した音声を増幅して出力するとともに、プロジェクタにより画像を表示するプロジェクタ付き拡声装置であって、
ユーザが発話した音声を収音するマイクと、
音声を出力するスピーカと、
筐体に設けられたスクリーン部と、
前記スクリーン部に画像を投影する前記プロジェクタと、
前記スピーカから出力された音声が放出されるホーン部と、
前記ホーン部の内部に設けられたレフレクタと、
を備え、
前記ホーン部および前記レフレクタにおける少なくとも前記プロジェクタの投影光の経路上に位置する部分は、透明な材料で形成されていることを特徴とするプロジェクタ付き拡声装置。
【発明の詳細な説明】
【技術分野】
【０００１】
本発明は、ユーザが発話した音声を増幅して出力するとともに、プロジェクタにより画像を表示するプロジェクタ付き拡声装置に関するものである。
【背景技術】
【０００２】
災害時などの避難の誘導、警備のための案内や誘導、業務の指示などに関するメッセージを多数の人物に同時に報知するため、ユーザが発話した音声を増幅して出力する拡声装置が使用されている。
【０００３】
一方、空港、駅、ホテル、観光地などでは外国人旅行者が多数滞在し、また、工場、倉庫、工事現場などでは外国人労働者が多数働いており、このように外国人が多数滞在する場所では、必要なメッセージを外国人に理解可能な外国語の音声で報知することが望まれる。
【０００４】
このような必要なメッセージを外国語の音声で報知することに関する技術として、従来、複数のメッセージの候補を予め登録しておき、その複数のメッセージの候補の中から適切なメッセージをユーザが選択することで、選択されたメッセージに対応する外国語の音声が出力されるようにした技術が知られている（特許文献１参照）。
【先行技術文献】
【特許文献】
【０００５】
【特許文献１】特開２０１４−０４４３４９号公報
【発明の概要】
【発明が解決しようとする課題】
【０００６】
さて、前記従来の技術では、外国語の音声が出力されるが、音声を出力できる外国語の数には限界がある。このため、出力される音声の言語が母国語でない人物は、報知内容を理解できない。また、聴覚に障害がある人物も、音声だけでは報知内容を理解できない。このように音声だけでは報知内容を理解できない人物がいると、避難誘導を円滑に行うことができず、混乱が発生する場合がある。そこで、音声に加えて、視覚を利用して必要な情報を伝えることができるようにするとよい。
【０００７】
また、避難する方向や避難口がある場所などを、音声だけでわかりやすく説明するのは難しく、例えば地図などを表示することで、視覚を利用して必要な情報を伝えることができるようにするとよい。
【０００８】
そこで、本発明は、音声に加えて、視覚を利用して必要な情報を伝えることができるようにして、音声だけでは報知内容を理解できない人物にも的確に報知することができ、また、音声だけでは伝えることが難しい情報も的確に報知することができるプロジェクタ付き拡声装置を提供することを主な目的とする。
【課題を解決するための手段】
【０００９】
本発明のプロジェクタ付き拡声装置は、ユーザが発話した音声を増幅して出力するとともに、プロジェクタにより画像を表示するプロジェクタ付き拡声装置であって、ユーザが発話した音声を収音するマイクと、音声を出力するスピーカと、外部の投影面に画像を投影する前記プロジェクタと、前記スピーカから出力する音声に対応する報知画面の画像を前記プロジェクタから投影する制御部と、を備える構成とする。
【発明の効果】
【００１０】
本発明によれば、音声が出力され、さらに、その出力される音声に対応する報知情報が表示された報知画面の画像を、スクリーンとなる壁面などの外部の投影面に投影する。これにより、音声に加えて、視覚を利用して必要な情報を伝えることができる。このため、音声だけでは報知内容を理解できない人物にも的確に報知することができ、また、音声のみでは伝えることが難しい情報も的確に報知することができる。
【図面の簡単な説明】
【００１１】
【図１】第１実施形態に係るプロジェクタ付き拡声装置１の側面図
【図２】第１実施形態に係るプロジェクタ９の内部構造を示す断面図
【図３】第１実施形態に係るプロジェクタ付き拡声装置１の概略構成を示すブロック図
【図４】第１実施形態に係るプロジェクタ付き拡声装置１の動作手順を示すフロー図
【図５】第１実施形態に係るプロジェクタ付き拡声装置１の動作手順を示すフロー図
【図６】第２実施形態に係るプロジェクタ付き拡声装置１の側面図
【図７】第２実施形態に係るプロジェクタ９の内部構造を示す断面図
【図８】第２実施形態に係るプロジェクタ付き拡声装置１の要部を断面で表した側面断面図
【図９】第２実施形態に係るプロジェクタ付き拡声装置１の上面図
【図１０】第２実施形態に係るプロジェクタ付き拡声装置１の概略構成を示す説明図
【図１１】第２実施形態に係るプロジェクタ付き拡声装置１の動作手順を示すフロー図
【図１２】第３実施形態に係るプロジェクタ９の内部構造を示す断面図
【図１３】第３実施形態に係るプロジェクタ付き拡声装置１の動作手順を示すフロー図
【発明を実施するための形態】
【００１２】
前記課題を解決するためになされた第１の発明は、ユーザが発話した音声を増幅して出力するとともに、プロジェクタにより画像を表示するプロジェクタ付き拡声装置であって、ユーザが発話した音声を収音するマイクと、音声を出力するスピーカと、外部の投影面に画像を投影する前記プロジェクタと、前記スピーカから出力する音声に対応する報知画面の画像を前記プロジェクタから投影する制御部と、を備える構成とする。
【００１３】
これによると、音声が出力され、さらに、その出力される音声に対応する報知情報が表示された報知画面の画像を、スクリーンとなる壁面などの外部の投影面に投影する。これにより、音声に加えて、視覚を利用して必要な情報を伝えることができる。このため、音声だけでは報知内容を理解できない人物にも的確に報知することができ、また、音声のみでは伝えることが難しい情報も的確に報知することができる。
【００１４】
また、第２の発明は、前記制御部は、前記マイクにより収音した原音声を前記スピーカから出力するとともに、前記原音声に対応する報知画面の画像を前記プロジェクタから投影する構成とする。
【００１５】
これによると、原音声の言語を理解できる人物に的確に報知することができ、さらに、聴覚に障害がある人物にも的確に報知することができる。
【００１６】
また、第３の発明は、前記制御部は、前記マイクにより収音した原音声に対応する他言語の合成音声を前記スピーカから出力するとともに、前記合成音声に対応する報知画面の画像を前記プロジェクタから投影する構成とする。
【００１７】
これによると、他言語を理解できる人物に的確に報知することができ、さらに、聴覚に障害がある人物にも的確に報知することができる。
【００１８】
また、第４の発明は、ユーザが把持するグリップと、前記スピーカから出力された音声が放出されるホーン部と、を備え、前記プロジェクタは、前記ホーン部における前記グリップ側に設けられている構成とする。
【００１９】
これによると、音声を出力する際にホーン部を斜め上方に向けた場合に、周辺にいる人物から見える適切な高さ位置に報知画面の画像を投影することができる。また、プロジェクタ付き拡声装置が落下した際に、ホーン部とグリップとによりプロジェクタが保護されるため、プロジェクタの破損を防ぐことができる。
【００２０】
また、第５の発明は、前記プロジェクタの起動および停止の操作を行うプロジェクタスイッチを備える構成とする。
【００２１】
これによると、プロジェクタによる画像の投影が不要な場合に、プロジェクタを起動させないようにすることができる。
【００２２】
また、第６の発明は、筐体に設けられたスクリーン部と、前記外部の投影面に画像を投影する第１の方向と、前記スクリーン部に画像を投影する第２の方向とに、前記プロジェクタの投影光の向きを変化させる投影方向可変機構と、を備え、前記制御部は、前記第１の方向で前記報知画面の画像を前記プロジェクタから投影し、前記第２の方向で操作画面の画像を前記プロジェクタから投影する構成とする。
【００２３】
これによると、スクリーンとなる壁面などの外部の投影面に報知画面の画像を投影する外部投影と、スクリーン部に操作画面の画像を投影する内部投影とを、単一のプロジェクタで行う。このため、操作画面を表示するための専用の表示パネルが不要となり、部品点数を削減することができる。また、表示パネルを収容するために、筐体に箱状の凸部を形成する必要がなくなるため、筐体の形状に関する制約が少なくなり、筐体の小型化およびデザイン性の向上を図ることができる。また、プロジェクタ付き拡声装置が落下した際に、表示パネルが破損して、画面操作ができなくなる不具合を避けることができる。
【００２４】
また、第７の発明は、前記投影方向可変機構として、前記プロジェクタの本体が、回転軸を介して回動可能に前記筐体に固定されている構成とする。
【００２５】
これによると、簡単な構成でプロジェクタの投影光の向きを変化させることができる。
【００２６】
また、第８の発明は、前記プロジェクタは、画像表示素子からの光を反射する反射鏡を備え、前記反射鏡は、前記プロジェクタの投影光を前記第１の方向に向ける凸面状の反射面と、前記プロジェクタの投影光を前記第２の方向に向ける凹面状の反射面と、を有する構成とする。
【００２７】
これによると、スクリーンとなる壁面などの外部の投影面に画像を投影する遠方投影と、筐体に設けられたスクリーン部に画像を投影する近接投影と、を簡単な構成で適切に行うことができる。
【００２８】
また、第９の発明は、前記スクリーン部に沿って設けられたタッチパネルを備える構成とする。
【００２９】
これによると、スクリーン部に表示される操作画面上でユーザが画面操作を行うことができる。
【００３０】
また、第１０の発明は、ユーザが把持するグリップと、前記スピーカから出力された音声が放出されるホーン部と、前記ホーン部の内部に設けられたレフレクタと、を備え、前記プロジェクタは、前記ホーン部における前記グリップ側に設けられ、前記ホーン部および前記レフレクタにおける少なくとも前記プロジェクタの投影光の経路上に位置する部分は、透明な材料で形成されている構成とする。
【００３１】
これによると、ホーン部およびレフレクタをプロジェクタの投影光が透過することで、プロジェクタから画像をスクリーン部に適切に投影することができる。
【００３２】
また、第１１の発明は、ユーザが発話した音声を増幅して出力するとともに、プロジェクタにより画像を表示するプロジェクタ付き拡声装置であって、ユーザが発話した音声を収音するマイクと、音声を出力するスピーカと、筐体に設けられたスクリーン部と、前記スクリーン部に画像を投影する前記プロジェクタと、前記スピーカから出力された音声が放出されるホーン部と、前記ホーン部の内部に設けられたレフレクタと、を備え、前記ホーン部および前記レフレクタにおける少なくとも前記プロジェクタの投影光の経路上に位置する部分は、透明な材料で形成されている構成とする。
【００３３】
これによると、プロジェクタによりスクリーン部に操作画面の画像を投影する。このため、操作画面を表示するための専用の表示パネルが不要になる。これにより、表示パネルを収容するために、筐体に箱状の凸部を形成する必要がなくなるため、筐体の形状に関する制約が少なくなり、筐体の小型化およびデザイン性の向上を図ることができる。また、プロジェクタ付き拡声装置が落下した際に、表示パネルが破損して、画面操作ができなくなる不具合を避けることができる。
【００３４】
以下、本発明の実施の形態を、図面を参照しながら説明する。
【００３５】
（第１実施形態）
図１は、第１実施形態に係るプロジェクタ付き拡声装置１の側面図である。
【００３６】
このプロジェクタ付き拡声装置１では、筐体２の内部に、マイク３と、音声切換部５と、制御部６と、アンプ７と、スピーカ８と、が収容されている。また、筐体２の下部には、ユーザが把持するグリップ１０が取り付けられている。筐体２におけるスピーカ８の前側には、円錐形状のホーン部１１が設けられている。ホーン部１１の下部、すなわち、ホーン部１１におけるグリップ１０側にはプロジェクタ９が設けられている。
【００３７】
マイク３は、ユーザが発話する音声を収音する。
【００３８】
制御部６は、マイク３で収音した原音声を録音する処理や、録音した原音声を文字情報に変換する処理（音声認識）や、原音声の文字情報（原文）に対応する定型文を予め記憶されている定型文データベースの中から探し出す処理（検索）や、定型文の文字情報から合成音声を生成する処理（音声合成）や、合成音声や原音声を再生する処理などを行う。
【００３９】
音声切換部５は、メガホンモードでの音声パス（音声の経路）と、翻訳モードでの音声パスとを切り換える。アンプ７は、音声切換部５から出力される音声を増幅する。スピーカ８は、アンプ７で増幅された音声を出力する。
【００４０】
メガホンモードでは、マイク３で収音した原音声をそのままアンプ７で増幅してスピーカ８で出力する。翻訳モードでは、マイク３で収音した原音声を制御部６に入力して、制御部６で生成した他言語の合成音声や原音声をアンプ７で増幅してスピーカ８で出力する。
【００４１】
筐体２の側面には、モード切換スイッチ１２が設けられている。このモード切換スイッチ１２は、メガホンモードと翻訳モードとを切り換えるものであり、モード切換スイッチ１２の操作に応じて、音声切換部５においてメガホンモードでの音声パスと翻訳モードでの音声パスとが切り換えられる。
【００４２】
また、筐体２の側面には、電源スイッチ１３が設けられている。
【００４３】
グリップ１０の手前側には、録音スイッチ１４と、音量調整スイッチ１５とが設けられている。グリップ１０の逆側には、出力スイッチ１６と、ロックスイッチ１７と、が設けられている。ユーザは、一方の手でグリップ１０を把持した状態で、その手の親指で録音スイッチを操作し、また、人差し指で出力スイッチを操作することができる。
【００４４】
録音スイッチ１４は、マイク３で収音した音声の録音を指示するものである。音量調整スイッチ１５は、スピーカ８から出力される音声の音量を調整するものである。
【００４５】
出力スイッチ１６は、メガホンモードでは、アンプ７を動作させる操作を行うものとなり、出力スイッチ１６を押下すると、マイク３で収音された原音声がアンプ７で増幅して出力される。一方、翻訳モードでは、出力スイッチ１６は、アンプ７を動作させるとともに音声の再生を制御部６に指示する操作を行うものとなり、出力スイッチ１６を押下すると、制御部６で音声が再生されて、その音声がアンプ７で増幅されて出力される。このとき、出力スイッチ１６を押下し続けることで、音声が繰返し再生される。
【００４６】
ロックスイッチ１７は、出力スイッチ１６を押下状態に保持するものである。これにより、出力スイッチ１６をユーザが押下し続けなくても音声の出力を継続させることができる。
【００４７】
なお、モード切換スイッチ１２はロッカースイッチであり、録音スイッチ１４および出力スイッチ１６は押ボタンスイッチであり、音量調整スイッチ１５はロータリースイッチである。
【００４８】
プロジェクタ９は、スクリーンとなる壁面などの外部の投影面に、スピーカ８から出力される合成音声に対応する報知情報が表示される報知画面（案内画面）の画像を投影する。報知画面には、例えば避難誘導の際には、避難する方向や避難口がある場所などを示した地図などが表示される。
【００４９】
プロジェクタ９には、オン・オフ（起動および停止）の操作を行うプロジェクタスイッチ１８が設けられている。また、プロジェクタ９は、筐体２の内部に設けられた制御部６とケーブル１９で接続される。このケーブル１９は、ホーン部１１の音響特性を損なわないように、ホーン部１１の外面に沿うように配線されている。
【００５０】
次に、第１実施形態に係るプロジェクタ９の内部構造について説明する。図２は、プロジェクタ９の内部構造を示す断面図である。
【００５１】
プロジェクタ９は、画像表示素子４１（映像素子）と、レンズなどからなる光学素子４２と、図示しない光源４３（図３参照）と、を備えている。このプロジェクタ９では、光源４３から出射された光が画像表示素子４１で反射され、その反射光が光学素子４２を通過して、スクリーンとなる壁面に投射される。
【００５２】
なお、プロジェクタ９の光学系の構成は、図示した例に限定されるものではなく、種々の構成が可能である。
【００５３】
次に、第１実施形態に係るプロジェクタ付き拡声装置１の概略構成について説明する。図３は、プロジェクタ付き拡声装置１の概略構成を示すブロック図である。
【００５４】
モード切換スイッチ１２の信号が音声切換部５に入力される。この音声切換部５は、モード切換スイッチ１２の操作に応じて、メガホンモードでの音声パスと翻訳モードでの音声パスとを切り換えるものであり、入力切換部２１と、出力切換部２２と、を備えている。入力切換部２１では、マイク３から出力される音声を、出力切換部２２側および制御部６側のいずれかに出力する。出力切換部２２では、入力切換部２１および制御部６のいずれかから入力される音声をアンプ７側に出力する。
【００５５】
音声切換部５と制御部６との間にはレベル調整部２３が設けられている。このレベル調整部２３では、音声切換部５の入力切換部２１から出力される音声のレベルが調整される。
【００５６】
音量調整スイッチ１５の信号が音量調整部２４に入力される。この音量調整部２４は、音声切換部５とアンプ７との間に設けられている。この音量調整部２４では、音量調整スイッチ１５の操作に応じて、音声切換部５の出力切換部２２から出力される音声の音量が調整される。
【００５７】
出力スイッチ１６の信号がアンプ７に入力される。出力スイッチ１６は、アンプ７への給電を断続するスイッチとして機能し、メガホンモードにおいて出力スイッチ１６が押下されると、アンプ７が通電して音声出力状態となり、マイク３から入力される原音声がアンプ７で増幅されて出力される。一方、翻訳モードにおいて出力スイッチ１６が押下されると、アンプ７が通電して音声出力状態になるとともに、再生部３５で音声が再生されて、再生部３５から出力される音声がアンプ７で増幅されて出力される。
【００５８】
記憶部２５は、制御部６において、ユーザが発話する音声を録音した原音声や、原音声の音声認識により取得した原文や、定型文の文字情報から変換された合成音声を一時記憶する。また、記憶部２５は、定型文データベースを記憶する。この定型文データベースには、原音声の文字情報とこれに対応する他言語の文字情報からなる多数の定型文が登録されている。また、記憶部２５は、各定型文に対応する報知情報（地図情報など）を表示する報知画面（案内画面）の情報を記憶する。
【００５９】
制御部６は、録音部３１と、音声認識部３２と、検索部３３と、音声合成部３４と、再生部３５と、音声出力制御部３６と、画像出力制御部３７と、を備えている。この制御部６は、プロセッサで構成され、制御部６の各部は、記憶部２５に記憶されたプログラムを実行することで実現される。
【００６０】
この制御部６には、モード切換スイッチ１２の信号、録音スイッチ１４の信号、および出力スイッチ１６の信号が入力される。
【００６１】
録音部３１は、レベル調整部２３から出力される原音声を録音する。この録音処理では、音声信号（アナログ信号）を音声データにＡ／Ｄ変換して記憶部２５に記憶させる。録音部３１では、録音スイッチ１４が押下されると、録音処理が開始され、録音スイッチ１４がリリースされると、録音処理を終了する。
【００６２】
音声認識部３２は、録音部３１で録音された原音声を文字情報に変換する音声認識を行い、この音声認識結果として、原文（原音声の文字情報）を取得する。
【００６３】
検索部３３は、定型文データベースに登録された原言語（例えば、日本語）の定型文の中から、原文（原音声の文字情報）に対応する定型文を検索し、これに対応付けられた他言語の定型文（他言語の文字情報）を取得する。本実施形態では、各定型文に対応するキーワードをユーザに発話させて、原文としてキーワードを取得して、そのキーワードに対応する定型文を検索する。なお、定型文をユーザに発話させて、原文と類似度が最も高い定型文を検索するようにしてもよい。
【００６４】
音声合成部３４は、定型文を定型文データベースから取得して、その定型文の文字情報から音声合成により合成音声を生成する。このとき、他言語（例えば英語、中国語など）の定型文を定型文データベースから取得して、その他言語の定型文の文字情報から音声合成により他言語の合成音声を生成すればよいが、原言語（例えば日本語）の定型文を定型文データベースから取得して、原言語の合成音声を生成するようにしてもよい。
【００６５】
音声出力制御部３６は、出力スイッチ１６が押下されると、音声の出力を開始し、出力スイッチ１６がリリースされると、音声の出力を停止するように制御する。このとき、音声出力制御部３６は、検索部３３で取得した定型文の音声合成を音声合成部３４に指示し、さらに、音声合成部３４で生成した合成音声の再生を再生部３５に指示する。このとき、原言語の音声に続けて、ユーザが指定した順番で複数の他言語の合成音声を出力するように、音声合成部３４および再生部３５に指示するようにしてもよい。
【００６６】
再生部３５は、音声合成部３４で生成した合成音声や、録音部３１で録音された原音声を再生する。この再生処理では、合成音声や原音声のデータを音声信号（アナログ信号）にＤ／Ａ変換する処理が行われる。なお、出力スイッチ１６が押下されている状態では、他言語の合成音声や原言語の音声が所定の順番で連続して繰り返し再生される。
【００６７】
画像出力制御部３７は、音声出力する定型文に対応する報知情報を表示する報知画面（案内画面）の表示情報を記憶部２５から取得して、プロジェクタ制御部４４に出力する。これにより、プロジェクタ９から報知画面の画像が、スクリーンとなる壁面などの外部の投影面に投影される。報知画面には、例えば、マイク３で集音した原音声の文字情報や、定型文データベースから取得された他言語の文字情報などが表示される。さらに、避難誘導の際には、避難する方向や避難口がある場所などを示した地図などが表示される。
【００６８】
プロジェクタ９は、プロジェクタスイッチ１８と、画像表示素子４１と、光源４３と、プロジェクタ制御部４４と、を備えている。プロジェクタ制御部４４は、画像表示素子４１および光源４３を制御して、画像出力制御部３７から入力される報知画面の表示情報に基づいて、報知画面の画像を投影する。
【００６９】
次に、第１実施形態に係るプロジェクタ付き拡声装置１の動作手順について説明する。図４および図５は、プロジェクタ付き拡声装置１の動作手順を示すフロー図である。
【００７０】
プロジェクタ付き拡声装置１では、図４に示すように、まず、モード切換スイッチ１２が翻訳モードの状態でない、すなわち、メガホンモードの状態であれば（ＳＴ１０１でＮｏ）、音声切換部５が、マイク３で収音した原音声をそのまま出力する状態となり、ここで、ユーザの操作により出力スイッチ１６を押下された状態となると（ＳＴ１０２でＹｅｓ）、アンプ７が音声出力状態となり、原音声の出力を開始する（ＳＴ１０３）。このとき、ユーザが発話した原音声がそのままアンプ７で増幅されてスピーカ８から出力される。
【００７１】
そして、出力スイッチ１６が戻された状態となると（ＳＴ１０４でＹｅｓ）、原音声の出力を停止する（ＳＴ１０５）。なお、出力スイッチ１６が押下されていない場合には（ＳＴ１０２でＮｏ）、特別な動作は行われない。
【００７２】
一方、モード切換スイッチ１２が翻訳モードの状態である場合には（ＳＴ１０１でＹｅｓ）、制御部６において、ユーザが録音スイッチ１４を押下したことを検知すると（ＳＴ１０６でＹｅｓ）、録音部３１において、マイク３で収音した原音声を録音する処理を開始する（ＳＴ１０７）。このとき、バイブレーションや通知音で、録音が開始されたことをユーザに通知するようにしてもよい。そして、ユーザが録音スイッチ１４を戻したことを検知すると（ＳＴ１０８でＹｅｓ）、録音を停止する（ＳＴ１０９）。
【００７３】
次に、音声認識部３２において、録音した原音声を文字情報に変換する音声認識が行われる（ＳＴ１１０）。次に、検索部３３において、キーワードとなる原文（原音声の文字情報）に対応する定型文を検索する（ＳＴ１１１）。
【００７４】
次に、図５に示すように、制御部６において、ユーザが出力スイッチ１６を押下したことを検知すると（ＳＴ１１２でＹｅｓ）、音声合成部３４において、定型文から合成音声を生成し、再生部３５において、合成音声を再生する処理が開始され、合成音声がスピーカ８から出力される（ＳＴ１１３）。
【００７５】
次に、ユーザがプロジェクタスイッチ１８をオン操作したことを検知すると（ＳＴ１１４でＹｅｓ）、プロジェクタ９への給電を開始し、画像出力制御部３７において、音声出力する定型文に対応する報知画面の表示情報を取得して、その報知画面の表示情報をプロジェクタ制御部４４に出力して、プロジェクタ９から報知画面の画像を投影する（ＳＴ１１５）。
【００７６】
そして、ユーザがプロジェクタスイッチ１８をオフ操作したことを検知すると（ＳＴ１１６でＹｅｓ）、プロジェクタ９への給電を停止し、プロジェクタ９による報知画面の画像の投影を停止する（ＳＴ１１７）。また、ユーザが出力スイッチ１６を戻したことを検知すると（ＳＴ１１８でＹｅｓ）、音声の出力を停止する（ＳＴ１１９）。
【００７７】
なお、図５に示す例では、音声を出力している状態で、プロジェクタ９により報知画面の画像が投影されるようにしたが、音声を出力していない状態でも、プロジェクタ９により報知画面の画像が投影されるようにしてもよい。
【００７８】
また、本実施形態では、報知画面の画像をプロジェクタ９により外部の投影面に投影するようにしたが、ユーザが各種の操作を行う操作画面を外部の投影面に投影するようにしてもよい。この場合、投影された操作画面上で画面操作を行うためのタッチパネルなどの入力デバイスを設けるとよい。また、プロジェクタ９とは別に、操作画面を表示するための専用の表示パネルを設けるようにしてもよい。
【００７９】
（第２実施形態）
次に、第２実施形態について説明する。なお、ここで特に言及しない点は前記の実施形態と同様である。図６は、第２実施形態に係るプロジェクタ付き拡声装置１の側面図である。
【００８０】
第１実施形態では、スクリーンとなる壁面などの外部の投影面にプロジェクタ９で報知画面の画像を投影する外部投影を行うものとしたが、本実施形態では、外部投影に加えて、プロジェクタ付き拡声装置１の内部の投影面に画像を投影する内部投影を行う。本実施形態では、筐体２のホーン部１１の上部に表示操作部５１が設けられており、この表示操作部５１にプロジェクタ９から操作画面の画像を投影する。
【００８１】
次に、第２実施形態に係るプロジェクタ９の内部構造について説明する。図７は、プロジェクタ９の内部構造を示す断面図である。
【００８２】
プロジェクタ９は、第１実施形態と同様に、画像表示素子４１と、レンズなどの光学素子４２と、図示しない光源と、を備えているが、本実施形態では、さらに反射鏡４５を備えている。
【００８３】
また、プロジェクタ９は、本体４６と、取付部４７と、回転軸４８と、を備えている。本体４６には、画像表示素子４１および光学素子４２が設けられている。取付部４７は、ホーン部１１に固定されている。反射鏡４５は、取付部４７に固定されている。本体４６は、回転軸４８を介して回動可能に取付部４７に支持されている。
【００８４】
反射鏡４５は、断面形状が円弧状をなすように形成され、一方の面に、凹面状の反射面４５ａが形成され、他方の面に、凸面状の反射面４５ｂが形成されている。
【００８５】
本体４６は、図７（Ａ）に示すように、ホーン部１１に沿った位置から、図７（Ｂ）に示すように、ホーン部１１から下方に突出した位置まで、回転軸４８を中心にして略９０度回転できるようになっている。
【００８６】
図７（Ａ）に示す位置（内部投影位置）では、光学素子４２を通過した光が反射鏡４５の凹面状の反射面４５ａで反射されて、光が上方に投射される。一方、図７（Ｂ）に示す位置（外部投影位置）では、光学素子４２を通過した光が反射鏡４５の凸面状の反射面４５ｂで反射されて、第１実施形態と同様に、光が前方に投射される。
【００８７】
次に、第２実施形態に係る内部投射による画像表示の概要について説明する。図８は、プロジェクタ付き拡声装置１の要部を断面で表した側面図である。図９は、プロジェクタ付き拡声装置１の上面図である。
【００８８】
本実施形態では、図８に示すように、ホーン部１１の上部に、表示操作部５１が設けられている。この表示操作部５１は、スクリーン部５２と、タッチパネル５３（タッチセンサー）と、を備えている。
【００８９】
スクリーン部５２には、内部投影位置（図７（Ａ）参照）にあるプロジェクタ９から上方に投射された光が入射する。このスクリーン部５２に入射した光は、スクリーン部５２を透過するとともに散乱（拡散）し、これにより表示操作部５１に操作画面の画像が表示される（図９参照）。
【００９０】
また、ホーン部１１の内部にはレフレクタ５５，５６が設けられている。このホーン部１１およびレフレクタ５５，５６における少なくともプロジェクタ９の投影光の経路上に位置する部分は、プロジェクタ９の投影光が透過するように、透明な材料で形成されている。
【００９１】
タッチパネル５３は、静電気容量方式などによりユーザのタッチ操作を検出するものであり、このタッチパネル５３でユーザがタッチ操作を行うことで、表示操作部５１に表示される操作画面を操作することができる。
【００９２】
なお、本実施形態では、プロジェクタ９の投影光を、その近くにあるスクリーン部５２で結像させるため、反射鏡４５の凹面状の反射面４５ａ（図７（Ａ）参照）により、プロジェクタ９の投影光に焦点を形成するようにしたが、光学系の構成はこれに限定されるものではなく、種々の構成が可能であり、超短焦点プロジェクタなどで利用されている公知の近接投影の技術を採用すればよい。
【００９３】
このように本実施形態では、プロジェクタ９の本体４６（図７参照）を回動させることで、投影光の向きを変化させて、内部投影モード（図７（Ａ）参照）と外部投影モード（図７（Ｂ）参照）とを切り替えることができる。そして、プロジェクタ９を内部投影モードとすることで、プロジェクタ９の光を上方に投射させて、表示操作部５１に操作画面を表示させることができる。また、プロジェクタ９を外部投影モードとすることで、第１実施形態と同様に、プロジェクタ９の光を前方に投射して、スクリーンとなる壁面などの外部の投影面に報知画面の画像を表示させることができる。
【００９４】
次に、第２実施形態に係るプロジェクタ付き拡声装置１の概略構成について説明する。図１０は、プロジェクタ付き拡声装置１の概略構成を示す説明図である。
【００９５】
本実施形態では、プロジェクタ９に、位置検出センサ４９が設けられている。この位置検出センサ４９は、プロジェクタ９が、内部投影位置（図７（Ａ）参照）と、外部投影位置（図７（Ｂ）参照）とのいずれであるかを検出するものである。
【００９６】
画像出力制御部３７は、プロジェクタ９が内部投影位置にある場合には、操作画面の表示情報を生成して、その操作画面の表示情報をプロジェクタ制御部４４に出力する。これにより、表示操作部５１に操作画面が表示される。また、プロジェクタ９が外部投影位置にある場合には、報知画面の表示情報を生成して、その報知画面の表示情報をプロジェクタ制御部４４に出力する。これにより、スクリーンとなる壁面などの外部の投影面に報知画面が表示される。
【００９７】
次に、第２実施形態に係るプロジェクタ付き拡声装置１の動作手順について説明する。図１１は、プロジェクタ付き拡声装置１の動作手順を示すフロー図である。
【００９８】
本実施形態では、図４に示した第１実施形態と同様に、モード切換スイッチ１２の状態（ＳＴ１０１）に応じて、メガホンモードの処理（ＳＴ１０２〜ＳＴ１０５）が実行され、また、翻訳モードの処理、すなわち、ユーザが発話した音声を録音して、その音声に対応する定形文を検索する処理（ＳＴ１０６〜ＳＴ１１１）が実行される。
【００９９】
次に、図１１に示すように、制御部６において、プロジェクタスイッチ１８のオン操作を検知しないと（ＳＴ１２１でＮｏ）、オン操作まで待機する。このとき、ユーザに警告してオン操作を促すようにしてもよい。
【０１００】
一方、ユーザがプロジェクタスイッチ１８をオン操作したことを検知すると（ＳＴ１２１でＹｅｓ）、次に、位置検出センサ４９の検出結果に基づいて、プロジェクタ９が内部投影位置（初期位置）であるか否かを判定する（ＳＴ１２２）。ここで、プロジェクタ９が内部投影位置でない場合には（ＳＴ１２２でＮｏ）、ＳＴ１１１で検索した定型文を表示操作部５１に表示することができないので、警告音を出力する（ＳＴ１２３）。これにより、ユーザはプロジェクタ９を内部投影位置に戻す操作を行う。
【０１０１】
一方、プロジェクタ９が内部投影位置である場合には（ＳＴ１２２でＹｅｓ）、プロジェクタ９への給電を開始し、画像出力制御部３７において、操作画面の表示情報を生成して、その報知画面の表示情報をプロジェクタ制御部４４に出力して、プロジェクタ９から操作画面の画像を表示操作部５１に投影する（ＳＴ１２４）。
【０１０２】
そして、ユーザが画像操作を行ったことを検知すると（ＳＴ１２５でＹｅｓ）、操作内容に応じた処理を実行する（ＳＴ１２６）。ここでは、例えば、検索部３３で取得した定形文や、その定形文に対応する報知画面の情報が操作画面に表示され、ユーザが表示内容を確認して承認の操作を行う。また、検索部３３で取得した定形文と異なる定形文を操作画面でユーザが選択することもできる。
【０１０３】
次に、スクリーンとなる壁面などの外部の投影面に報知画面の画像を投影するために、ユーザがプロジェクタ９を外部投影位置に回動させる操作を行うことで、位置検出センサ４９の検出結果に基づいて、プロジェクタ９が外部投影位置であると判定されると（ＳＴ１２７でＹｅｓ）、画像出力制御部３７において、定型文に対応する報知画面の表示情報を取得して、その報知画面の表示情報をプロジェクタ制御部４４に出力して、プロジェクタ９から報知画面の画像を投影する（ＳＴ１２８）。
【０１０４】
一方、プロジェクタ９が外部投影位置ではないと判定されると（ＳＴ１２７でＮｏ）、外部投影は行わないものとして、ユーザが出力スイッチ１６を押下したかを判定する（ＳＴ１２９）。なお、プロジェクタスイッチ１８がＯＮ操作されているのに、プロジェクタ９が外部投影位置ではない場合に、ユーザに警告を行ってプロジェクタ９の回動を促すようにしてもよい。
【０１０５】
次に、制御部６において、ユーザが出力スイッチ１６を押下したことを検知すると（ＳＴ１２９でＹｅｓ）、音声合成部３４において、定型文から合成音声を生成し、再生部３５において、合成音声を再生する処理が開始され、合成音声がスピーカ８から出力される（ＳＴ１３０）。
【０１０６】
そして、制御部６において、ユーザが出力スイッチ１６を戻したことを検知すると（ＳＴ１３１でＹｅｓ）、音声の出力を停止する（ＳＴ１３２）。
【０１０７】
また、制御部６において、ユーザが出力スイッチ１６を押下したことを検知しないと（ＳＴ１２９でＮｏ）、音声を出力せずに、ＳＴ１３３に進む。
【０１０８】
次に、制御部６において、ユーザがプロジェクタスイッチ１８をオフ操作したことを検知すると（ＳＴ１３３でＹｅｓ）、プロジェクタ９への給電を停止し、プロジェクタ９による報知画面の画像の投影を停止する（ＳＴ１３４）。
【０１０９】
一方、プロジェクタスイッチ１８がオンのままであり（ＳＴ１３３でＮｏ）、かつ、プロジェクタ９が外部投影位置のままであると（ＳＴ１３５でＹｅｓ）、ＳＴ１２８に進み、報知画面の画像を出力する処理が継続される。また、ユーザがプロジェクタ９を内部投影位置に戻す操作を行うことで、プロジェクタ９が内部投影位置となると（ＳＴ１３５でＮｏ）、ＳＴ１２４に進み、操作画面の画像を投影する処理が行われる。
【０１１０】
なお、本実施形態では、翻訳モードの場合に（図４参照）、ユーザが発話した音声を録音して、その音声に対応する定形文を検索して（ＳＴ１０６〜ＳＴ１１１）、その定形文の合成音声を出力するようにしているが、ＳＴ１０６〜ＳＴ１１１の処理をパスして、操作画面で定形文を選択することで、その定形文の合成音声を出力するようにしてもよい。
【０１１１】
（第３実施形態）
次に、第３実施形態について説明する。なお、ここで特に言及しない点は前記の実施形態と同様である。
【０１１２】
第１実施形態では、スクリーンとなる壁面などの外部の投影面にプロジェクタ９で報知画面の画像を投影する外部投影を行うものとし、第２実施形態では、外部投影に加えて、プロジェクタ付き拡声装置１の内部の投影面に画像を投影する内部投影を行うものとしたが、本実施形態では、内部投影のみを行うようにしている。
【０１１３】
次に、第３実施形態に係るプロジェクタ９の内部構造について説明する。図１２は、プロジェクタ９の内部構造を示す断面図である。
【０１１４】
本実施形態では、第２実施形態（図７参照）と同様に、プロジェクタ９に、画像表示素子４１と、レンズなどからなる光学素子４２と、反射鏡４５と、が設けられているが、第２実施形態で設けられていた回転軸４８による投影方向可変機構は設けられていない。また、反射鏡４５には、凹面状の反射面４５ａが形成されているが、第２実施形態で設けられていた凸面状の反射面４５ｂは不要である。
【０１１５】
本実施形態では、第２実施形態（図７（Ａ），図８参照）と同様に、光学素子４２を通過した光が反射鏡４５の凹面状の反射面４５ａで反射されて、光が上方に投射され、ホーン部１１の上部に設けられた表示操作部５１のスクリーン部５２に入射し、これにより、表示操作部５１に操作画面の画像が表示される。
【０１１６】
なお、第３実施形態に係るプロジェクタ付き拡声装置１の概略構成は、第１実施形態（図３参照）と同様であるが、画像出力制御部３７では、操作画面の表示情報を生成して、その操作画面の表示情報をプロジェクタ制御部４４に出力する。
【０１１７】
次に、第３実施形態に係るプロジェクタ付き拡声装置１の動作手順について説明する。図１３は、プロジェクタ付き拡声装置１の動作手順を示すフロー図である。
【０１１８】
本実施形態では、図４に示した第１実施形態と同様に、モード切換スイッチ１２の状態（ＳＴ１０１）に応じて、メガホンモードの処理（ＳＴ１０２〜ＳＴ１０５）が実行され、また、翻訳モードの処理、すなわち、ユーザが発話した音声を録音して、その音声に対応する定形文を検索する処理（ＳＴ１０６〜ＳＴ１１１）が実行される。
【０１１９】
次に、図１３に示すように、制御部６において、ユーザがプロジェクタスイッチ１８をオン操作したことを検知すると（ＳＴ１４１でＹｅｓ）、プロジェクタ９への給電を開始し、画像出力制御部３７において、操作画面の表示情報を生成して、その操作画面の表示情報をプロジェクタ制御部４４に出力して、プロジェクタ９から操作画面の画像を表示操作部５１に投影する（ＳＴ１４２）。
【０１２０】
一方、プロジェクタスイッチ１８をオン操作したことを検知しないと（ＳＴ１４１でＮｏ）、オン操作まで待機することになるが、このとき、ユーザに警告してオン操作を促すようにしてもよい。
【０１２１】
そして、ユーザが画像操作を行ったことを検知すると（ＳＴ１４３でＹｅｓ）、操作内容に応じた処理を実行する（ＳＴ１４４）。ここでは、例えば、検索部３３で取得した定形文や、その定形文に対応する報知画面の情報が操作画面に表示され、ユーザが表示内容を確認して承認の操作を行う。また、検索部３３で取得した定形文と異なる定形文を操作画面でユーザが選択することもできる。
【０１２２】
次に、制御部６において、ユーザが出力スイッチ１６を押下したことを検知すると（ＳＴ１４５でＹｅｓ）、音声合成部３４において、定型文から合成音声を生成し、再生部３５において、合成音声を再生する処理が開始され、合成音声がスピーカ８から出力される（ＳＴ１４６）。
【０１２３】
そして、制御部６において、ユーザが出力スイッチ１６を戻したことを検知すると（ＳＴ１４７でＹｅｓ）、音声の出力を停止する（ＳＴ１４８）。また、ユーザがプロジェクタスイッチ１８をオフ操作したことを検知すると（ＳＴ１４９でＹｅｓ）、プロジェクタ９への給電を停止して、プロジェクタ９による操作画面の画像の投影を停止する（ＳＴ１５０）。
【０１２４】
一方、プロジェクタスイッチ１８をオフ操作したことを検知しないと（ＳＴ１４９でＮｏ）、ＳＴ１４３に戻り、ユーザが画像操作を行ったかどうかを判定する。
【０１２５】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１２６】
例えば、前記の実施形態では、ユーザが発話する音声の音声認識により取得した原文に対応する他言語の定型文を検索して、その定型文から他言語の合成音声を生成するようにしたが、翻訳エンジンを用いて原文を翻訳することで他言語の文章を取得して、その他言語の文章から他言語の合成音声を生成するようにしてもよい。
【０１２７】
また、前記の実施形態では、音声認識、検索、音声合成などの各処理を拡声装置１で行うようにしたが、拡声装置１から必要な情報（例えば原音声）をサーバ装置に送信して、サーバ装置において、前記の各処理の全てあるいは一部を行うようにしてもよい。また、前記の翻訳エンジンを用いた文字翻訳をサーバ装置に行わせるようにしてもよい。
【０１２８】
また、前記の第２実施形態では、プロジェクタにおいて、画像表示素子やレンズなどの光学素子が設けられた本体を回動させることで、プロジェクタの投影光の向きを変化させるようにしたが、このような投影方向可変機構は、プロジェクタを回動させる構成に限定されるものではなく、例えば、反射鏡などの光学素子の回転や進退などの動作で、プロジェクタの投影光の向きを変化させるようにしてもよい。
【０１２９】
また、前記の実施形態では、プロジェクタをホーン部の下部に設けるようにしたが、ホーン部の内部に設けられたレフレクタの前端部に、プロジェクタを設けるようにしてもよい。このようにすると、ホーン部およびレフレクタの音響特性に影響を及ぼすことを避けることができる。
【産業上の利用可能性】
【０１３０】
本発明に係るプロジェクタ付き拡声装置は、音声に加えて、視覚を利用して必要な情報を伝えることができるようにして、音声だけでは報知内容を理解できない人物にも的確に報知することができ、また、音声だけでは伝えることが難しい情報も的確に報知することができる効果を有し、ユーザが発話した音声を増幅して出力するとともに、プロジェクタにより画像を表示するプロジェクタ付き拡声装置などとして有用である。
【符号の説明】
【０１３１】
１  プロジェクタ付き拡声装置
２  筐体
３  マイク
５  音声切換部
６  制御部
７  アンプ
８  スピーカ
９  プロジェクタ
１０  グリップ
１１  ホーン部
１６  出力スイッチ
１８  プロジェクタスイッチ
４５  反射鏡
４５ａ  反射面
４５ｂ  反射面
４６  本体
４７  取付部
４８  回転軸
４９  位置検出センサ
５１  表示操作部
５２  スクリーン部
５３  タッチパネル
５５，５６  レフレクタ
【図１】
2019012920.tif 000003
【図２】
2019012920.tif 000004
【図３】
2019012920.tif 000005
【図４】
2019012920.tif 000006
【図５】
2019012920.tif 000007
【図６】
2019012920.tif 000008
【図７】
2019012920.tif 000009
【図８】
2019012920.tif 000010
【図９】
2019012920.tif 000011
【図１０】
2019012920.tif 000012
【図１１】
2019012920.tif 000013
【図１２】
2019012920.tif 000014
【図１３】
2019012920.tif 000015